(57)【要約】【課題】作業性に優れると共に、様々な条件に応じた塗装作業を効率的に行える新規なローラー式塗装具の提供。【解決手段】グリップ１０から延びる第１アーム２０と、第２アーム３０と、第１ローラー４０と、第２ローラー５０とを備え、第２アーム３０を第１アーム２０の途中に、締結具７０によって回動・固定自在に軸支する。このような構成によれば、第２アーム３０が第１アーム２０に対して自在に回動すると共に、任意の角度で固定できる。これにより、第１ローラー４０と第２ローラー５０との間隔を任意に調整できるため、作業性が向上し、様々な条件に応じた塗装作業を効率的に行うことができる。【選択図】図１
2018122217.tif 000002
【特許請求の範囲】
【請求項１】
グリップから延びる第１アームと、当該第１アームの途中から分岐して前記第１アームの先端側へ延びる第２アームと、前記第１アームの先端に設けられた第１ローラーと、前記第２アームの先端に設けられた第２ローラーとを備え、
前記第２アームを前記第１アームの途中に、蝶ねじまたは締結ボルトからなる締結具によって回動・固定自在に軸支したことを特徴とするローラー式塗装具。
【請求項２】
請求項１に記載のローラー式塗装具において、
前記締結具が貫通するねじ穴が前記第１アームの長手方向に延びる長穴状であることを特徴とするローラー式塗装具。
【請求項３】
請求項１に記載のローラー式塗装具において、
前記締結具が貫通するねじ穴が前記第１アームの長手方向およびこれと直交する方向に延びる長穴状であると共に、当該ねじ穴に２つの締結具で前記第２アームを取り付けてなることを特徴とするローラー式塗装具。
【請求項４】
請求項１乃至３のいずれかに記載のローラー式塗装具において、
前記第２アームに取り付けられる第２ローラーの外径を、前記第１アームに取り付けられる第１ローラーの外径よりも小さくしたことを特徴とするローラー式塗装具。
【請求項５】
請求項１乃至４のいずれかに記載のローラー式塗装具において、
前記第１アームに飛沫防止板を備えたことを特徴とするローラー式塗装具である。
【発明の詳細な説明】
【技術分野】
【０００１】
本発明は、屋根や壁、天井などをペンキなどで塗装するために用いられるローラー式の塗装具に関するものである。
【背景技術】
【０００２】
従来のローラー式塗装具は、例えば以下の特許文献１に示すようにグリップから延びるアームの先端に筒状のローラーを回転可能に支持したものであり、先端のローラーにペンキを染み込ませ、このローラーを屋根や壁に沿って回転させながら塗装を行うようになっている。また、以下の特許文献２や３では１つのアームに対して２つ以上のローラーを備えることでペンキの飛沫防止や塗装効率の向上を図ったものも提案されている。
【先行技術文献】
【特許文献】
【０００３】
【特許文献１】実開昭５９−１５８４８１号公報
【特許文献２】登録実用新案第３００２２５９号公報
【特許文献３】特開平１０−２９０９５１号公報
【発明の概要】
【発明が解決しようとする課題】
【０００４】
ところで、従来のローラー式塗装具では、屋根などの広い面積を効率的に塗装するためには、なるべく幅が広く且つ径が太いローラーを利用する必要があるがローラー径が大きいと面積が小さい箇所、例えばスレート屋根の小口部分のような狭い部分をまとめて塗装することは難しい。
【０００５】
一方、前記特許文献２や３のように１つのアームに対して２つ以上のローラーを備えたものでは、ローラーの間隔が一定であるため、塗装箇所や塗装姿勢が限られてしまい、作業性や使い勝手があまり良くない。
【０００６】
そこで、本発明はこれらの課題を解決するために案出されたものであり、その目的は、作業性に優れると共に、様々な条件に応じた塗装作業を効率的に行える新規なローラー式塗装具を提供することにある。
【課題を解決するための手段】
【０００７】
前記目的を達成するために第１の発明は、グリップから延びる第１アームと、当該第１アームの途中から分岐して前記第１アームの先端側へ延びる第２アームと、前記第１アームの先端に設けられた第１ローラーと、前記第２アームの先端に設けられた第２ローラーとを備え、前記第２アームを前記第１アームの途中に、蝶ねじまたは締結ボルトからなる締結具によって回動・固定自在に軸支したことを特徴とするローラー式塗装具である。
【０００８】
このような構成によれば、第２アームの締結具を緩めることによって第２アームが第１アームに対して自在に回動し、締結具を締めれば、第１アームに対して任意の角度で第２アームを固定できる。これにより、第１ローラーと第２ローラーとの間隔を任意に調整できるため、作業性が向上し、様々な条件に応じた塗装作業を効率的に行うことができる。
【０００９】
第２の発明は、第１の発明において、前記締結具が貫通するねじ穴が前記第１アームの長手方向に延びる長穴状であることを特徴とするローラー式塗装具である。このような構成によれば、さらに第１アームと第２アームとの角度を維持しつつ、第１ローラーと第２ローラーとの間隔を任意に調整できる。
【００１０】
第３の発明は、第１の発明において、前記締結具が貫通するねじ穴が前記第１アームの長手方向およびこれと直交する方向に延びる長穴状であると共に、当該ねじ穴に２つの締結具で前記第２アームを取り付けてなることを特徴とするローラー式塗装具である。このような構成によれば、第１アームと第２アームとの角度の調整と共に、第１ローラーと第２ローラーとの間隔の調整を同時に行うことができる。
【００１１】
第４の発明は、第１乃至第３の発明において、前記第２アームが前記第１アームよりも前記グリップ側に位置すると共に、前記第２アームに取り付けられる第２ローラーの外径またはその長さを、前記第１アームに取り付けられる第１ローラーのそれよりも小さくしたことを特徴とするローラー式塗装具である。このような構成によれば、外径や長さが大きい第１ローラーでは塗装できない屋根材の小口部分なども小さい第２ローラーを用いることにより、容易かつ確実に塗装することができる。
【００１２】
第５の発明は、第１乃至第４のいずれかの発明において、前記第１アームに飛沫防止板を備えたことを特徴とするローラー式塗装具である。このような構成によれば、天井を塗装する際にローラーから飛散したり滴り落ちたペンキなどの塗装剤が飛沫防止板で受け止められるため、作業員に塗装剤が付着するのを防止できる。
【発明の効果】
【００１３】
本発明に係るローラー式塗装具によれば、第２アームを第１アームの途中に蝶ねじや締結ボルトなどの締結具で締結したため、第２アームの締結具を緩めることによって第２アームが第１アームに対して自在に回動し、締結具を締めれば、第１アームに対して任意の角度で第２アームを固定できる。これにより、第１ローラーと第２ローラーとの間隔を任意に調整できるため、作業性が向上し、様々な条件に応じた塗装作業を効率的に行うことができる。
【図面の簡単な説明】
【００１４】
【図１】本発明に係るローラー式塗装具１００の実施の一形態を示す斜視図である。
【図２】図１に示すローラー式塗装具１００の左側面図である。
【図３】図１に示すローラー式塗装具１００の右側面図である。
【図４】図１中Ｓ部を示す部分拡大図である。
【図５】本発明に係るローラー式塗装具１００の使用例を示す説明図である。
【図６】本発明に係るローラー式塗装具１００を示す右側面図である。
【図７】軸支部付近を示す部分拡大図である。
【図８】軸支部付近の他の実施形態を示す部分拡大図である。
【図９】本発明に係るローラー式塗装具１００の他の実施形態を示す斜視図である。
【図１０】図９に示すローラー式塗装具１００の右側面図である。
【図１１】図１０中Ｘ−Ｘ線拡大断面図である。
【発明を実施するための形態】
【００１５】
以下、本発明の実施の形態を添付図面を参照しながら説明する。図１は本発明に係るローラー式塗装具１００の実施の一形態を示したものである。図示するようにこのローラー式塗装具１００は、グリップ１０から延びる第１アーム２０と、この第１アーム２０の途中から分岐するように延びる第２アーム３０と、第１アーム２０の先端に設けられた第１ローラー４０と、第２アーム３０の先端に設けられた第２ローラー５０とから主に構成されている。
【００１６】
この第１アーム２０は、例えば太さが約５ｍｍ程度の金属ロッドからなっており、その根元側がグリップ１０の軸心部に一体的に組み込まれており、その略中央部分の第１屈曲部２１が約３０°〜９０°の角度で右側に屈曲している。さらに、その第１屈曲部２１よりも先端側の第２屈曲部２２が根元側とほぼ平行になるように屈曲すると共に、その第２屈曲部２２よりも先端側の第３屈曲部２３がこれより略直角に左側に屈曲している。
【００１７】
そして、この第３屈曲部２０ｃより先端側の支持軸２４に第１ローラー４０が着脱自在に取り付けられている。この第１ローラー４０は、回転自在な軸心筒４１の周囲にパイル編物やパイル織物などからなる柔軟な塗布層４２を備えたものであり、この塗布層４２にペンキなどを染み込ませた後、屋根の表面や壁面を転動することで塗装を行うようになっている。なお、この第１ローラー４０は、従来から用いられている市販の物をそのまま用いることができる。
【００１８】
第２アーム３０は、この第１アーム２０の第１屈曲部２１から分岐するように設けられており、第１アーム２０と相似形で同様にその先端に支持軸３１に第２ローラー５０が着脱自在に取り付けられている。この第２ローラー５０は第１ローラー４０と同様に回転自在な軸心筒５１の周囲にパイル編物やパイル織物などからなる柔軟な塗布層５２を備えたものであり、この塗布層５２にペンキなどを染み込ませた後、屋根の表面や壁面を転動することで塗装を行うようになっている。なお、この第２ローラー５０は、その長さまたは外径のいずれかあるいはいずれも第１アーム２０よりも小さくなっている。
【００１９】
そして、この第２アーム３０は、第１アーム２０の第１屈曲部２１の近傍に締結具７０によって軸支されており、図２および図３に示すようにこの締結具７０を中心に回動自在となっている。すなわち、この第１アーム２０の第１屈曲部２１の近傍には図４に示すように金属製の軸支板６０が溶接されている。そして、この軸支板６０を貫通する軸支穴６１に、第２アーム３０の根元部が締結具（蝶ねじ）７０によって締結自在に軸支されており、この締結具７０を軸として第２アーム３０が回動自在となっている。
【００２０】
この締結具７０は蝶ねじや締結ボルトなどからなっており、この締結具７０を緩めることによって第２アーム３０が第１アーム２０に対して自在に回動し、締結具７０を締めれば、第１アーム２０に対して任意の角度で第２アーム３０を固定できるようになっている。これにより、第１ローラー４０と第２ローラー５０との間隔を任意に調整できるため、作業性が向上し、様々な条件に応じた塗装作業を効率的に行うことができる。
【００２１】
そして、このような構成をした本発明に係るローラー式塗装具１００を用いれば、第１ローラー４０と第２ローラー５０との間隔を任意に調整できるため、作業性が向上し、様々な条件に応じた塗装作業を効率的に行うことができる。例えば、スレート屋根の塗装を行う場合には、図５に示すようにその大部分を占めるスレート板８０の表面は、サイズの大きい第１ローラー４０を用いることにより効率的に塗装作業を行うことができる。
【００２２】
一方、スレート板８０の段差のある間口部分８１や窓枠のような幅の狭い部分（図示せず）などは、サイズの小さい第２ローラー５０を用いることでムラのないきれいな塗装を行うことができる。また、２度塗りやシーラーなどを行う場合には、下塗りやシーラーは第１ローラー４０で行い、上塗りや本塗りは第２ローラー５０で行うなど作業に応じた使い分けも可能となる。この結果、作業の都度、塗装具をわざわざ持ち替える必要がなくなり、作業効率が大幅に向上する。
【００２３】
また、この第１ローラー４０と第２ローラー５０との間隔は締結具７０を緩めるだけ任意に調整できるため、塗装箇所や条件に応じた最適な位置関係にすることができる。さらに、収納時や運搬時などには図６に示すように第２アーム３０を第１アーム２０と並行になるように回動させれば嵩張ることもない。
【００２４】
また、図４および図７に示すように軸支板６０の軸支穴６１を第１アーム２０の軸方向または長手方向に延びる長穴状にすれば、第１ローラー４０と第２ローラー５０との間隔をより細かく設定することができる。さらに、図８に示すようにこれと直交するように第１アーム２０の長手方向に延びる横長穴６２に２つの縦穴６３，６４を連続して設け、この横長穴６２と、縦穴６３，６４との一方とをそれぞれ一対の締結具７０，７０で連結するようにすれば、より安定的に第２アーム３０を取り付けることができる。
【００２５】
なお、図８（Ａ）は、第１の縦穴６３に対して一方の締結具７０を締結したものであり、第２アーム３０と第１アーム２０と角度が小さく、かつ第１ローラー４０と第２ローラー５０との間隔が狭くなるように固定したものである。一方、図８（Ｂ）は、第２の縦穴６４に対して一方の締結具７０を締結したものであり、第２アーム３０と第１アーム２０と角度が大きく、かつ第１ローラー４０と第２ローラー５０との間隔が広くなるように固定したものである。
【００２６】
また、このような構成に加えて図９および図１０に示すように第１アーム２０の途中に飛沫防止板９０を取り付けても良い。この飛沫防止板９０は、略扇状をしたアルミやプラスチックからなる軽量の板部材９１からなっており、その根元側のスプリングワッシャー９２で第１アーム２０の途中に取り付けられている。そして、このスプリングワッシャー９２部分を動かすことでこの飛沫防止板９０を第１アーム２０に沿って前後に移動可能となっている。
【００２７】
すなわち、このスプリングワッシャー９２は、図１１に示すようにピン９２ａと、スプリング９２ｂと、ワッシャー９２ｃと、ナット９２ｄとからなっており、板部材９１側の鍔９１ａと、受金具９２ｅ間を、その第１アーム２０を挟んで連結することで第１アーム２０の途中に取り付けられている。そして、このスプリング９２ｂを縮めるようにピン９２ａを押とその挟持する力が緩むため、第１アーム２０の長手方向に移動自在となり、ピン９２ａを離すとスプリング９２ｂの付整力によってその位置に飛沫防止板９０が固定される構造となっている。
【００２８】
このように第１アーム２０の途中に飛沫防止板９０を取り付ければ、天井などの高い箇所を塗装する際にローラー４０または５０から飛散したり滴り落ちたペンキなどの塗装剤がこの飛沫防止板９０で受け止められるため、作業員に塗装剤が付着したり、目に入ったりするなどの不都合を未然に防止できる。
【符号の説明】
【００２９】
１００…ローラー式塗装具
１０…グリップ
２０…第１アーム
２１〜２３…屈曲部
３０…第２アーム
４０…第１ローラー
５０…第２ローラー
６０…軸支板
６１…軸支穴
６２…横長穴
６３，６４…縦穴
７０…締結具（蝶ねじ、締結ボルト）
８０…スレート板
８１…間口
９０…飛沫防止板
９１…板部材
９２…スプリングワッシャー
【図１】
2018122217.tif 000003
【図２】
2018122217.tif 000004
【図３】
2018122217.tif 000005
【図４】
2018122217.tif 000006
【図５】
2018122217.tif 000007
【図６】
2018122217.tif 000008
【図７】
2018122217.tif 000009
【図８】
2018122217.tif 000010
【図９】
2018122217.tif 000011
【図１０】
2018122217.tif 000012
【図１１】
2018122217.tif 000013